(57)【特許請求の範囲】
【請求項１】
敷設したフロアパネルのボーダー部を埋める埋材であって、この埋材が、複数個の同一形状の短冊材の両端部の下面を覆って可折できる連結部材で横繋ぎに拡狭可能に連結したものであるフロアパネルボーダー部の埋材。
【請求項２】
狭小時、短冊材の端が階段形になるものである請求項１のフロアパネルボーダー部の埋材。
【請求項３】
狭小時、短冊材の端が真っ直ぐになるものである請求項１のフロアパネルボーダー部の埋材。
【発明の詳細な説明】
【０００１】
【発明の属する技術分野】
本発明は、ＯＡ室や一般事務室等のフロアに敷設されるフロアパネルにおいて、壁際や柱周辺等にできるボーダー部を埋めるフロアパネルボーダー部の埋材に関するものである。
【０００２】
【従来の技術】
この種のフロアパネルはユニットタイプに仕上げられているから、壁際や柱周辺にはどうしても最小単位のフロアパネルが敷けない小空間、即ち、ボーダー部ができる。このボーダー部は何らかの方法で埋めなければならないが、その方法として実開平４−３６０４０号公報に示されるものがある。即ち、ボーダー部に補助シートを貼着した補助パネルを敷設し、その補助パネルの端部に断面Ｌ字形をしたカバー部材を架設し、その載置代を変えて任意のボーダー寸法に対応させている。
【０００３】
【発明が解決しようとする課題】
しかし、このようなものは、補助パネルとカバー部材とを必要とするから、部品点数が増える。又、載置した面はカバー部材の面と面一にする必要があるから、施工に際して補助パネル上面の補助シートの切断が必要になり、施工工数が増える。更に、カバー部材は全長に亘って補助パネル上に載置されているだけであるから、真直度不良や基礎床面の不陸に基づくガタが発生するし、僅かな外力によってズレやせり上がりも生ずる。
本発明は、このような課題を解決するものであり、寸法調整を始めとする施工作業が簡単にできるとともに、ガタ等を発生させないでコスト安くボーダー部を埋めることができる埋材を提供するものである。
【０００４】
【課題を解決するための手段】
以上の課題の下、本発明は、敷設したフロアパネルのボーダー部を埋める埋材であって、この埋材が、複数個の同一形状の短冊材の両端部の下面を覆って可折できる連結部材で横繋ぎに拡狭可能に連結したものであるフロアパネルボーダー部の埋材を提供する。
【０００５】
又、本発明は、以上のものにおいて、狭小したとき、短冊材の端が階段形になるもの、真っ直ぐになるもの、といったフロアパネルボーダー部の埋材を提供する。
【０００６】
【発明の実施の形態】
以下、本発明の実施の形態を図面を参照して説明する。図１は本発明の一例を示す埋材の一部断面平面図、図２は一部断面正面図、図３は一部断面側面図であるが、ここで、埋材は複数の短冊材１０と、これを横繋ぎに連結する連結部材１２とからなる。短冊材１０は、鉄製の角パイプやＣ形鋼、アルミの押出し材、硬質樹脂等からなり、その形状は直方体状で、原則として同一規格（形状）のものが用いられる。本例における短冊材１０は、下方の径が絞られた長方形断面を有する鋼製の形材を用いており、その両端部を連結部材１２で連結している。
【０００７】
本例における連結部材１２は、断面Ｌ字形の基材１２ａに短冊材１０の小径部に挿入されるＨ型の挿入部１２ｂが短冊材１０の数だけ突設された形状をしており、樹脂やゴム等、多少弾力性のある材料で構成される。図４は連結部材１２を短冊材１０に装着する場合の側面断面図、図５は平面断面図であるが、挿入部１２ｂを短冊材１０の下方小径部に圧入することで両者の一体化を図っている。この場合、挿入部１２ｂが小径部の内周に接触する部分にはリップ１２ｃ等を設けて抜け止めを図っている。このとき、接着剤やビス等を用いると、一層の抜け止め防止となる。
【０００８】
以上の埋材はボーダー部に設置される。このとき、埋材は基礎床面に直接置くのが一般的である。従って、埋材の高さ、即ち、連結部材１２の基材１２ａの下端と短冊材１０の上面までの高さはパネルの高さと等しく設定される。尚、この場合、基材１２ａで短冊材１０の下面を覆うようにすれば、両端部分のみが基礎床面に接地するから、基礎床面に不陸があっても、それを吸収してガタを発生させないし、歩行音等も吸収する。又、連結部材１２を前記の素材で構成すれば可撓性が生じるから、横方向の不陸に対してもこれを吸収する。
【０００９】
図６及び図７は以上の構成の埋材を設置に際して狭小させる場合の一部断面平面図であるが、ボーダー部の寸法に合わせて個々の短冊材１０を寄せて狭小させた場合、短冊材１０の端が階段形になる場合（図６）と、真っ直ぐになる場合（図７）とが一般的である。前者のようにするには、可折できる連結部材１２を用い、短冊材１０の角に位置する部分の基材１２ａを内側と外側とに曲がるように曲がり癖をつけておけばやり易いし、後者のようにするには、基材１２ａの中間部分で折り返すように曲がり癖をつけておけばやり易い。尚、個々の短冊材１０を寄せて狭小させた場合、連結部材１２の原形復帰力によって全体が拡張しようとするから、埋材は内方から張った状態でボーダー部を隙間なく埋め、位置ずれ等を起こし難いものとなる。
【００１０】
ところで、個々の短冊材１０を寄せて埋材を狭小させたときには、短冊材１０同士の隙間がなくなるのが理想であるから、短冊材１０の下方の小径部の径小代は基材１２ａの厚みより大きくしておく。尚、拡張に際して個々の短冊材１０が離れた場合、各々の間には隙間が生ずるが、その最大の隙間はハイヒールの踵が落ち込まない８ｍｍ以下が好ましい。
【００１１】
埋材の拡張代は、短冊材１０の数とその最大隙間とによって決まるが、ボーダー部をカバーできるものでなければならないから、最大、パネルの寸法だけは補償できるものが必要となる。尚、ボーダー部の寸法がきわめて小さい場合、適当に切り離して使うことになるが、連結部材１２を樹脂等で構成すれば、これが容易になる。
【００１２】
図８は本発明の他の例を示す埋材の一部断面平面図、図９は正面図、図１０は一部断面側面図であるが、本例のものは、長方形断面を有する短冊材１０の両端上下二個所に、短冊材１０の内部に挿入される挿入部１２ｂと短冊材１０にあてがわれる部分及びこれから延出する部分が十分に長い基材１２ａとを有する連結部材１２を取り付けたものである。尚、下方側に取り付けられる連結部材１２の基材１２ａは短冊材１０の下面に沿わされ、上方側に取り付けられる連結部材１２の基材１２ａは短冊材１０の内部に挿入される。但し、形状は同一のもので足りる。
【００１３】
このような埋材によれば、短冊材１０を縦繋ぎするときには各々の連結部材１２がそれぞれ隣の短冊材１０を連結するものとなり、埋材全体をより一体化させてずれ等が起こり難いものとなる。
【００１４】
以上、本発明の二三の実施の形態について説明したが、本発明は、これらに限定されず、種々改変された態様を有する。例えば、連結部材は両端でなく、途中に一個又は複数個設けたものでもよい。又、連結部材として適当なリンクを用いて、回動によって所定の幅に設定するものであってもよい。更に、埋材を狭小させた場合の短冊材の端は不規則な形状をとるものであってもよい。
【００１５】
【発明の効果】
以上、本発明は、短冊材を複数個連結部材で横繋ぎに拡狭可能に連結してボーダー部の埋材としたものであるから、適当に拡狭調整することで種々の寸法のボーダー部に対処できる。そして、埋材は複数個の短冊材と連結部材とからなる簡単なものであるから、製作コストも安いし、施工も、単にボーダー部に置けばよいのであるから、簡単であり、且つ、施工コストも安い。
【図面の簡単な説明】
【図１】  本発明の実施の形態を示す埋材の一部断面平面図である。
【図２】  本発明の実施の形態を示す埋材の一部断面正面図である。
【図３】  本発明の実施の形態を示す埋材の一部断面側面図である。
【図４】  連結部材を短冊材に装着する状態を示す側面断面図である。
【図５】  連結部材を短冊材に装着する状態を示す平面断面図である。
【図６】  短冊材が拡狭する状態を示す一部断面平面図である。
【図７】  短冊材が拡狭する状態を示す一部断面平面図である。
【図８】  本発明の実施の形態を示す埋材の一部断面平面図である。
【図９】  本発明の実施の形態を示す埋材の正面図である。
【図１０】  本発明の実施の形態を示す埋材の一部断面側面図である。
【符号の説明】
１０  短冊材
１２  連結部材
【図１】
0003659518.tif 000002
【図２】
0003659518.tif 000003
【図３】
0003659518.tif 000004
【図４】
0003659518.tif 000005
【図５】
0003659518.tif 000006
【図６】
0003659518.tif 000007
【図７】
0003659518.tif 000008
【図８】
0003659518.tif 000009
【図９】
0003659518.tif 000010
【図１０】
0003659518.tif 000011